(57)【要約】  放送受信装置が開示される。本放送受信装置は、ディスプレイ部と、放送受信装置の現在出力状態に対応する優先順位情報及びイベントに対応する優先順位情報を保存する保存部と、外部機器におけるイベントの発生を示す信号を外部機器から受信する通信部と、外部機器におけるイベントの発生を示す信号を通信部が受信すると、イベントに対応する優先順位情報及び放送受信装置の現在出力状態に対応する優先順位情報に基いてイベントに対する報知メッセージをディスプレイ部上に選択的にディスプレイする制御部とを含む。
2017504987.tif 000002
【特許請求の範囲】
【請求項１】
ディスプレイ部と、
放送受信装置の現在出力状態に対応する優先順位情報及びイベントに対応する優先順位情報を保存する保存部と、
前記外部機器におけるイベントの発生を示す信号を前記外部機器から受信する通信部と、
前記外部機器におけるイベントの発生を示す信号が前記外部機器から通信部に受信される場合、前記イベントに対応する優先順位情報及び前記放送受信装置の現在出力状態に対応する優先順位情報に基いて、前記イベントに対する報知メッセージを前記ディスプレイ部上に選択的にディスプレイする制御部と
を含む放送受信装置。
【請求項２】
前記制御部は、
前記イベントに対応する優先順位情報が、前記イベントの優先順位が前記放送受信装置の現在出力状態に対応する優先順位情報によって示される放送受信装置の現在出力状態の優先順位より高いか同じであることを示す場合、前記報知メッセージを前記ディスプレイ部上にディスプレイすることを特徴とする請求項１に記載の放送受信装置。
【請求項３】
前記制御部は、
前記イベントに対応する優先順位情報が、前記イベントの優先順位が前記放送受信装置の現在出力状態に対応する優先順位情報によって示される放送受信装置の現在出力状態の優先順位より低いことを示す場合、前記報知メッセージをディスプレイ部上にディスプレイせずに、前記イベントに関する情報を保存することを特徴とする請求項１に記載の放送受信装置。
【請求項４】
前記制御部は、
前記イベントに関する情報を制御部が保存した後、前記放送受信装置の出力状態が変更されると、前記イベントの優先順位及び前記放送受信装置の変更された出力状態の優先順位に基いて前記イベントに対する報知メッセージを選択的にディスプレイすることを特徴とする請求項３に記載の放送受信装置。
【請求項５】
前記放送受信装置の出力状態は、
放送コンテンツ出力状態、広告出力状態、メニュー設定状態、チャネル切り替え状態及び入力信号切り替え状態のうち、少なくとも１つを含むことを特徴とする請求項１に記載の放送受信装置。
【請求項６】
前記制御部は、
前記イベントに対する報知メッセージを現在ディスプレイされる画面上にオーバーラップしてディスプレイすることを特徴とする請求項１に記載の放送受信装置。
【請求項７】
前記制御部は、
現在ディスプレイされる画面を消去し、現在ディスプレイされる画面の代わりに前記イベントに対する報知メッセージをディスプレイすることを特徴とする請求項１に記載の放送受信装置。
【請求項８】
前記イベントに対応する優先順位情報は、ユーザによって設定されたイベントの優先順位を含み、前記放送受信装置の現在出力状態に対応する優先順位情報はユーザによって設定された放送受信装置の現在出力状態の優先順位を含むことを特徴とする請求項１に記載の放送受信装置。
【請求項９】
放送受信装置の報知メッセージディスプレイ方法において、
外部機器におけるイベントの発生を示す信号を前記外部機器から受信するステップと、
前記外部機器におけるイベントの発生を示す信号が受信されると、前記イベントに対応する優先順位情報及び前記放送受信装置の現在出力状態に対応する優先順位情報に基いて前記イベントに対する報知メッセージを選択的にディスプレイ部上にディスプレイするステップと
を含む報知メッセージディスプレイ方法。
【請求項１０】
前記イベントに対応する優先順位情報が、前記イベントの優先順位が前記放送受信装置の現在出力状態に対応する優先順位情報によって示される放送受信装置の現在出力状態の優先順位より高いか同じであることを示す場合、前記報知メッセージをディスプレイすることを特徴とする請求項９に記載の報知メッセージディスプレイ方法。
【請求項１１】
前記イベントに対応する優先順位情報が、前記イベントの優先順位が前記放送受信装置の現在出力状態に対応する優先順位情報によって示される放送受信装置の現在出力状態の優先順位より低いことを示す場合、前記報知メッセージをディスプレイ部上にディスプレイせずに、前記イベントに関する情報を保存するステップを更に含むことを特徴とする請求項９に記載の報知メッセージディスプレイ方法。
【請求項１２】
前記ディスプレイするステップは、
前記イベントに関する情報を保存した後、前記放送受信装置の出力状態が変更されると、前記イベントの優先順位及び前記放送受信装置の変更された出力状態の優先順位に基いて前記イベントに対する報知メッセージを選択的にディスプレイすることを特徴とする請求項１１に記載の報知メッセージディスプレイ方法。
【請求項１３】
前記放送受信装置の出力状態は、
放送コンテンツ出力状態、広告出力状態、メニュー設定状態、チャネル切り替え状態及び入力信号切り替え状態のうち、少なくとも１つを含むことを特徴とする請求項９に記載の報知メッセージディスプレイ方法。
【請求項１４】
前記ディスプレイするステップは、
前記イベントに対する報知メッセージを現在ディスプレイされる画面上にオーバーラップしてディスプレイすることを特徴とする請求項９に記載の報知メッセージディスプレイ方法。
【請求項１５】
前記ディスプレイするステップは、
現在ディスプレイされる画面を消去し、現在ディスプレイされる画面の代わりに前記イベントに対する報知メッセージをディスプレイすることを特徴とする請求項９に記載の報知メッセージディスプレイ方法。
【発明の詳細な説明】
【技術分野】
【０００１】
本発明は、放送受信装置及びその報知（ Notification ）メッセージディスプレイ方法に関し、より詳細には、ネットワークシステムを構成する放送受信装置及びその報知（ Notification ）メッセージディスプレイ方法に関する。
【背景技術】
【０００２】
通常、ホームネットワークシステムは多様な有無線技術を適用し、屋内外に存在する多様な機器を統合させたネットワークシステムを意味し、ユーザはホームネットワークシステムを通じて各種機器をより効率的に使用することができるようになった。
【０００３】
しかし、従来のホームネットワークシステムにおいて、ユーザは別の機器で発生するイベントの提供を無闇に受けるという点において不都合を感じることがあった。
【０００４】
例えば、ユーザは、テレビを通じてコンテンツを視聴する途中、自分の意思とは関係なく洗濯機の洗濯完了事実を通知される可能性があることから、コンテンツ視聴に対する集中力が低下するおそれがある。
【０００５】
それにより、ユーザの視聴への妨害を最小化することができるホームネットワークシステムを構成することができる方策への模索が求められている。
【発明の概要】
【発明が解決しようとする課題】
【０００６】
そこで、本発明は、上記問題に鑑みてなされたものであり、本発明の目的とするところは、ネットワークシステムを構成する機器で発生したイベントを優先順位に応じて選択的にディスプレイすることができる放送受信装置及びその報知メッセージディスプレイ方法を提供することにある。
【課題を解決するための手段】
【０００７】
以上のような目的を達成するための本発明の一実施形態に係る放送受信装置は、ディスプレイ部と、放送受信装置の現在出力状態に対応する優先順位情報及び外部イベントに対応する優先順位情報を保存する保存部と、外部機器におけるイベントの発生を示す信号を前記外部機器から受信する通信部と、前記外部機器におけるイベントの発生を示す信号を受信すると、前記イベントに対応する優先順位及び前記放送受信装置の現在出力状態に対応する優先順位に基いて前記イベントに対する報知メッセージを前記ディスプレイ部上に選択的にディスプレイする制御部とを含む。
【０００８】
この場合、前記制御部は、前記イベントに対応する優先順位情報が、前記イベントの優先順位が前記放送受信装置の現在出力状態に対応する優先順位情報によって示される放送受信装置の現在出力状態の優先順位より高いか同じであることを示す場合、前記報知メッセージを前記ディスプレイ部上にディスプレイしてよい。
【０００９】
なお、前記制御部は、前記イベントに対応する優先順位情報が、前記イベントの優先順位が前記放送受信装置の現在出力状態に対応する優先順位情報によって示される放送受信装置の現在出力状態の優先順位より低いことを示す場合、前記報知メッセージをディスプレイ部上にディスプレイせずに、前記イベントに関する情報を保存してよい。
【００１０】
この場合、前記制御部は、前記イベントに関する情報を保存した後、前記放送受信装置の出力状態が変更されると、前記イベントの優先順位及び前記放送受信装置の変更された出力状態の優先順位に基いて前記イベントに対する報知メッセージを選択的にディスプレイしてよい。
【００１１】
なお、前記放送受信装置の出力状態は、放送コンテンツ出力状態、広告出力状態、メニュー設定状態、チャネル切り替え状態及び入力信号切り替え状態のうち、少なくとも１つを含んでよい。
【００１２】
そして、前記制御部は、前記イベントに対する報知メッセージを現在ディスプレイされる画面上にオーバーラップしてディスプレイしてよい。
【００１３】
なお、前記制御部は、前記現在ディスプレイされる画面を消去し、前記イベントに対する報知メッセージを現在ディスプレイされる画面の代わりにディスプレイしてよい。
【００１４】
なお、前記イベントに対応する優先順位情報は、ユーザによって設定されたイベントの優先順位を含んでよく、前記放送受信装置の現在出力状態に対応する優先順位情報はユーザによって設定された優先順位を含んでよい。
【００１５】
一方、本発明の一実施形態に係る放送受信装置の報知メッセージディスプレイ方法は、外部機器におけるイベントの発生を示す信号を前記外部機器から受信するステップと、前記外部機器におけるイベントの発生を示す信号を受信すると、前記イベントに対応する優先順位及び前記放送受信装置の現在出力状態に対応する優先順位に基いて前記イベントに対する報知メッセージを選択的にディスプレイするステップとを含む。
【００１６】
この場合、前記イベントの優先順位が前記放送受信装置の現在出力状態の優先順位より高いか同じである場合、前記報知メッセージがディスプレイされてよい。
【００１７】
なお、前記イベントの優先順位が前記放送受信装置の現在出力状態の優先順位より低い場合、前記報知メッセージをディスプレイ部上にディスプレイせずに、前記イベントに関する情報が保存されてよい。
【００１８】
この場合、前記イベントに関する情報を保存した後、前記放送受信装置の出力状態が変更されると、前記イベントの優先順位及び前記放送受信装置の変更された出力状態の優先順位に基いて前記イベントに対する報知メッセージが選択的にディスプレイされてよい。
【００１９】
なお、前記放送受信装置の出力状態は、放送コンテンツ出力状態、広告出力状態、メニュー設定状態、チャネル切り替え状態及び入力信号切り替え状態のうち、少なくとも１つを含んでよい。
【００２０】
そして、前記ディスプレイするステップは、前記イベントに対する報知メッセージが現在ディスプレイされる画面上にオーバーラップされてよい。
【００２１】
なお、前記ディスプレイするステップは、現在ディスプレイされる画面が消去され、現在ディスプレイされる画面の代わりに前記イベントに対する報知メッセージがディスプレイされてよい。
【００２２】
なお、前記イベントに対応する優先順位情報は、ユーザによって設定されたイベントの優先順位を含んでよく、前記放送受信装置の現在出力状態に対応する優先順位情報はユーザによって設定された放送受信装置の現在出力状態の優先順位を含んでよい。
【００２３】
一方、本発明の別の実施形態に係る放送受信装置において報知メッセージディスプレイ方法を行うプログラムが保存された非一時的読み取り可能媒体は、外部機器におけるイベントの発生を示す信号を前記外部機器から受信するステップと、前記外部機器におけるイベントの発生を示す信号を受信すると、前記イベントに対応する優先順位情報及び前記放送受信装置の現在出力状態に対応する優先順位情報に基いて前記イベントに対する報知メッセージをディスプレイ部上に選択的にディスプレイするステップとを含む。
【００２４】
この場合、前記イベントに対応する優先順位情報が、前記イベントの優先順位が前記放送受信装置の現在出力状態に対応する優先順位情報によって示される放送受信装置の現在出力状態の優先順位より高いか同じであることを示す場合、前記報知メッセージがディスプレイされてよい。
【００２５】
なお、前記イベントに対応する優先順位情報が、前記イベントの優先順位が前記放送受信装置の現在出力状態に対応する優先順位情報によって示される放送受信装置の現在出力状態の優先順位より低いことを示す場合、前記報知メッセージがディスプレイ部上にディスプレイされずに、前記イベントに関する情報が保存されてよい。
【００２６】
この場合、前記イベントに関する情報を保存した後、前記放送受信装置の出力状態が変更されると、前記イベントの優先順位及び前記放送受信装置の変更された出力状態の優先順位に基いて前記イベントに対する報知メッセージが選択的にディスプレイされてよい。
【００２７】
なお、前記放送受信装置の出力状態は、放送コンテンツ出力状態、広告出力状態、メニュー設定状態、チャネル切り替え状態及び入力信号切り替え状態のうち、少なくとも１つを含んでよい。
【００２８】
そして、前記ディスプレイするステップは、前記イベントに対する報知メッセージを現在ディスプレイされる画面上にオーバーラップしてディスプレイしてよい。
【００２９】
なお、前記ディスプレイするステップは、現在ディスプレイされる画面が消去され、現在ディスプレイされる画面の代わりに前記イベントに対する報知メッセージがディスプレイされてよい。
【００３０】
なお、前記イベントに対応する優先順位情報は、ユーザによって設定されたイベントの優先順位を含んでよく、前記放送受信装置の現在出力状態に対応する優先順位情報はユーザによって設定された放送受信装置の現在出力状態の優先順位を含んでよい。
【００３１】
以上のような目的を達成するための本発明の別の実施形態に係る放送受信装置は、ディスプレイ部と、放送受信装置の複数の出力状態のそれぞれに対応する優先順位情報及び複数のイベントのそれぞれに対応する優先順位情報を保存する保存部と、前記外部機器から前記外部機器で発生したイベントを示す信号を受信する通信部と、前記外部機器で発生したイベントを示す信号を通信部が受信すると、保存部に保存された放送受信装置の複数の出力状態のそれぞれに対応する優先順位情報及び複数のイベントのそれぞれに対応する優先順位情報を用いて、放送受信装置の現在出力状態及び通信部によって受信された信号によって示されるイベントの優先順位を決定し、前記決定された放送受信装置の現在出力状態の優先順位及び前記決定されたイベントの優先順位に基いて、前記イベントに対する報知メッセージを前記ディスプレイ部上に選択的にディスプレイする制御部とを含む。
【００３２】
この場合、前記制御部は、前記イベントの優先順位が、前記放送受信装置の現在出力状態の優先順位より高いか同じであると決定すると、前記報知メッセージを前記ディスプレイ部上にディスプレイしてよい。
【００３３】
なお、前記制御部は、前記イベントの優先順位が前記放送受信装置の現在出力状態の優先順位より低いと決定すると、前記報知メッセージをディスプレイ部上にディスプレイせずに、前記イベントに関する情報を保存してよい。
【００３４】
この場合、前記制御部は、前記イベントに関する情報を保存した後、前記放送受信装置の出力状態が変更されると、前記イベントの優先順位及び前記放送受信装置の変更された出力状態の優先順位に基いて前記イベントに対する報知メッセージを選択的にディスプレイしてよい。
【００３５】
なお、前記放送受信装置の出力状態は、放送コンテンツ出力状態、広告出力状態、メニュー設定状態、チャネル切り替え状態及び入力信号切り替え状態のうち、少なくとも１つを含んでよい。
【００３６】
そして、前記制御部は、前記イベントに対する報知メッセージを現在ディスプレイされる画面上にオーバーラップしてディスプレイしてよい。
【００３７】
なお、前記制御部は、現在ディスプレイされる画面を消去し、現在ディスプレイされる画面の代わりにイベントに対する報知メッセージをディスプレイしてよい。
【００３８】
なお、前記イベントの優先順位及び前記放送受信装置の現在出力状態の優先順位は、ユーザによって設定されてよい。
【００３９】
一方、本発明の一実施形態に係る放送受信装置の報知メッセージディスプレイ方法は、外部機器におけて発生したイベントを示す信号を前記外部機器から受信するステップと、前記外部機器で発生したイベントを示す信号が受信されると、保存された放送受信装置の複数の出力状態のそれぞれに対応する優先順位情報及び複数のイベントのそれぞれに対応する優先順位情報を用いて、放送受信装置の現在出力状態及び受信された信号によって示されるイベントの優先順位を決定し、前記決定された放送受信装置の現在出力状態の優先順位及び前記決定されたイベントに対する優先順位に基いて、前記イベントに対する報知メッセージを前記ディスプレイ部上に選択的にディスプレイするステップとを含む。
【００４０】
この場合、前記イベントの優先順位が前記放送受信装置の現在出力状態の優先順位より高いか同じであると決定すると、前記報知メッセージがディスプレイされてよい。
【００４１】
なお、前記イベントの優先順位が前記放送受信装置の現在出力状態の優先順位より低いと決定すると、前記報知メッセージをディスプレイせずに、前記イベントに関する情報が保存されてよい。
【００４２】
この場合、前記イベントに関する情報を保存した後、前記放送受信装置の出力状態が変更されると、前記イベントの優先順位及び前記放送受信装置の変更された出力状態の優先順位に基いて前記イベントに対する報知メッセージを選択的にディスプレイしてよい。
【００４３】
なお、前記放送受信装置の出力状態は、放送コンテンツ出力状態、広告出力状態、メニュー設定状態、チャネル切り替え状態及び入力信号切り替え状態のうち、少なくとも１つを含んでよい。
【００４４】
そして、前記ディスプレイするステップは、前記イベントに対する報知メッセージを現在ディスプレイされる画面上にオーバーラップしてディスプレイしてよい。
【００４５】
または、前記ディスプレイするステップは、現在ディスプレイされる画面を消去し、現在ディスプレイされる画面の代わりにイベントに対する報知メッセージをディスプレイしてよい。
【００４６】
なお、前記イベントの優先順位及び前記放送受信装置の現在出力状態の優先順位情報は、ユーザによって設定されてよい。
【００４７】
一方、本発明の別の実施形態に係る放送受信装置の報知メッセージディスプレイ方法を行うプログラムが保存された非一時的読み取り可能媒体は、外部機器で発生したイベントを示す信号を前記外部機器から受信するステップと、前記外部機器で発生したイベントを示す信号を受信すると、前記保存された放送受信装置の複数の出力状態のそれぞれに対応する優先順位情報及び複数のイベントのそれぞれに対応する優先順位情報を用いて、放送受信装置の現在出力状態及び受信された信号によって示されるイベントの優先順位を決定し、前記決定された放送受信装置の現在出力状態の優先順位及び前記決定されたイベントの優先順位に基いて、前記イベントに対する報知メッセージを前記ディスプレイ部上に選択的にディスプレイするステップとを含む。
【００４８】
この場合、前記イベントの優先順位が前記放送受信装置の現在出力状態の優先順位より高いか同じであると決定すると、前記報知メッセージがディスプレイされてよい。
【００４９】
なお、前記イベントの優先順位が前記放送受信装置の現在出力状態の優先順位より低いと決定すると、前記報知メッセージをディスプレイせずに、前記イベントに関する情報が保存されてよい。
【００５０】
この場合、前記イベントに関する情報を保存した後、前記放送受信装置の出力状態が変更されると、前記イベントの優先順位及び前記放送受信装置の変更された出力状態の優先順位に基いて前記イベントに対する報知メッセージを選択的にディスプレイしてよい。
【００５１】
なお、前記放送受信装置の出力状態は、放送コンテンツ出力状態、広告出力状態、メニュー設定状態、チャネル切り替え状態及び入力信号切り替え状態のうち、少なくとも１つを含んでよい。
【００５２】
そして、前記ディスプレイするステップは、前記イベントに対する報知メッセージが現在ディスプレイされる画面上にオーバーラップされてディスプレイされてよい。
【００５３】
または、前記ディスプレイするステップは、現在ディスプレイされる画面が消去され、現在ディスプレイされていた画面の代わりに前記イベントに対する報知メッセージがディスプレイされてよい。
【００５４】
なお、前記イベントの優先順位及び前記放送受信装置の現在出力状態の優先順位は、ユーザによって設定されてよい。
【００５５】
本発明によれば、ネットワークシステムで発生したイベントは優先順位に応じて選択的にディスプレイされることができる。それにより、ユーザがコンテンツを視聴する間受ける妨害を最小化することができ、ユーザは効果的にネットワークシステム発生するイベントを認知することができる。
【発明の効果】
【００５６】
以上説明したように本発明によれば、優先順位に応じてネットワークシステム内で発生するイベントを選択的にディスプレイすることができる。その結果、ユーザのコンテンツに対する視聴妨害を最大限に軽減すると同時に、ネットワークシステム内で発生するイベントをユーザに効率よく通知することができるようになる。
【図面の簡単な説明】
【００５７】
【図１】本発明の一実施形態に係るネットワークシステムを示す図である。
【図２】本発明の一実施形態に係るネットワーク装置の構成を説明するためのブロック図である。
【図３Ａ】本発明の一実施形態に係る報知メッセージのディスプレイ形態及び報知メッセージに対する設定方法を説明するための図である。
【図３Ｂ】本発明の一実施形態に係る報知メッセージのディスプレイ形態及び報知メッセージに対する設定方法を説明するための図である。
【図３Ｃ】本発明の一実施形態に係る報知メッセージのディスプレイ形態及び報知メッセージに対する設定方法を説明するための図である。
【図４】本発明の一実施形態に係る報知メッセージのディスプレイ形態及び報知メッセージに対する設定方法を説明するための図である。
【図５Ａ】本発明の一実施形態に係る報知メッセージのディスプレイ形態及び報知メッセージに対する設定方法を説明するための図である。
【図５Ｂ】本発明の一実施形態に係る報知メッセージのディスプレイ形態及び報知メッセージに対する設定方法を説明するための図である。
【図５Ｃ】本発明の一実施形態に係る報知メッセージのディスプレイ形態及び報知メッセージに対する設定方法を説明するための図である。
【図６Ａ】本発明の一実施形態に係る報知メッセージのディスプレイ形態及び報知メッセージに対する設定方法を説明するための図である。
【図６Ｂ】本発明の一実施形態に係る報知メッセージのディスプレイ形態及び報知メッセージに対する設定方法を説明するための図である。
【図７】本発明の一実施形態に係る報知メッセージのディスプレイ形態及び報知メッセージに対する設定方法を説明するための図である。
【図８】本発明の一実施形態によって報知メッセージを選択的にディスプレイする方法を説明するための図である。
【図９】本発明の一実施形態に係る放送受信装置の細部構成を説明するためのブロック図である。
【図１０】本発明の一実施形態に係る放送受信装置の報知メッセージディスプレイ方法を説明するためのフローチャートである。
【発明を実施するための形態】
【００５８】
以下に添付図面を参照しながら、本発明の好適な実施形態について詳細に説明する。
【００５９】
図１は、本発明の一実施形態に係るネットワークシステムを示す図である。図１に示すように、ネットワークシステム１０００は、放送受信装置１００及び複数のデバイス１０、２０、３０、４０、５０及び６０で構築されてよい。
【００６０】
ネットワークシステム１０００は、家庭内で使われる全ての電気、電子製品が有線または無線で接続されて双方向通信ができるように構成されたホームネットワークシステムで実現されることができる。ただ、それは一例に過ぎず、ネットワークシステム１０００は、ネットワークを通じて複数のデバイスが接続されて制御され得るシステムなら限定されずに適用されてよく、例えば、社内のデバイスをネットワークで接続して制御するシステムの場合もそれに含まれてよい。
【００６１】
放送受信装置１００は、ネットワークシステムを構成するだけでなく、ネットワークシステム全般に対する制御、すなわち、中央制御のための用途として使用される。すなわち、放送受信装置１００は、ネットワークシステムを構成するデバイスとして、ネットワークシステム内の別のデバイスの動作を制御することができる。
【００６２】
この場合、放送受信装置１００は、図１に示すように、ホームサーバの機能を行うことができるテレビで実現されてよい。しかし、それは一例に過ぎず、放送受信装置１００の以外のネットワークシステム１０００を構成する別のデバイスまたはホームサーバ、ホームコントローラ、ホームゲートウェイ等のような別途のデバイスが中央制御のために使用されてよい。
【００６３】
そのために、放送受信装置１００及び複数のデバイス１０、２０、３０、４０、５０及び６０は、ユーザ命令を受信するためのＵＩをディスプレイすることができる。ここで、ＵＩを構成する項目は、ネットワークシステム１０００を構成するデバイスの種類、各デバイスで実行可能な機能等に応じて多様に変更されてよい。
【００６４】
なお、放送受信装置１００は、１つまたはそれ以上の複数のデバイス１０、２０、３０、４０、５０及び６０で発生したイベントに基いて別のデバイスの動作を制御することもできる。ここで、イベントはデバイスで行われた動作の完了、デバイスで生じた故障、デバイスで感知された火災発生、部外者の侵入等を含んでよい。そのために、複数のデバイス１０、２０、３０、４０、５０及び６０はイベントが発生すると、発生したイベントを示す信号を放送受信装置１００に伝送することができる。
【００６５】
例えば、洗濯機１０は、洗濯、乾燥等の洗濯機１０で実行可能な動作が完了すると、それを示す信号を放送受信装置１００に伝送することができ、冷蔵庫２０が故障していると判断されると、それを示す信号を放送受信装置１００に伝送することができる。
【００６６】
なお、火災感知器３０は、火災が発生したと判断されると、それを示す信号を放送受信装置１００に伝送し、玄関ドア４０、窓５０及び監視カメラ６０は部外者が侵入したと判断されると、それを示す信号を放送受信装置１００に伝送することができる。
【００６７】
この場合、１つまたはそれ以上の複数のデバイス１０、２０、３０、４０、５０及び６０の伝送する信号がどのようなイベントを示すかは、放送受信装置１００と複数のデバイス１０、２０、３０、４０、５０及び６０の間で予め定義されていてよい。それにより、放送受信装置１００は、１つまたはそれ以上の複数のデバイス１０、２０、３０、４０、５０及び６０から受信された信号に基いて複数のデバイス１０、２０、３０、４０、５０及び６０でどのようなイベントが発生しているかを判断することができる。
【００６８】
そして、放送受信装置１００は、複数のデバイス１０ないし６０のそれぞれから受信された信号に基いて別のデバイスの動作を制御することができる。
【００６９】
具体的に、放送受信装置１００は、イベント発生事実をユーザに通知するための報知メッセージをディスプレイするようにネットワークシステム１０００を構成するデバイスを制御することができる。
【００７０】
この場合、放送受信装置１００が、図１にようにディスプレイ機能を行うことができるテレビで実現される場合、報知メッセージを自らディスプレイすることができる。ただ、場合によって、放送受信装置１００は、報知メッセージをディスプレイするための制御命令をディスプレイ機能を行うことができる別のデバイスに伝送することもできる。
【００７１】
このとき、放送受信装置１００は、イベントに対する報知メッセージを選択的にディスプレイすることができる。すなわち、放送受信装置１００は、自分の出力状態及び発生したイベントの優先順位に基いて、イベントに対する報知メッセージを選択的にディスプレイすることができ、以下で添付の図面を参照してより具体的に説明する。
【００７２】
一方、図１において、ネットワークシステム１０００を構成するデバイスとして、テレビ１００、洗濯機１０、冷蔵庫２０、火災感知器３０、玄関ドア４０、窓５０及び監視カメラ６０を示しているが、それは一例に過ぎず、ネットワークシステム１０００を構成する機器の数及び種類は多様に変更されてよい。
【００７３】
一方、放送受信装置１００及び複数のデバイス１０、２０、３０、４０、５０及び６０は、１つまたはそれ以上の多様な通信方式を用いて相互接続されてネットワークシステム１０００を構築することができる。例えば、放送受信装置１００は、有／無線ＬＡＮ、ＷＡＮ、イーサネット（登録商標）、ブルートゥース（登録商標）、Ｚｉｇｂｅｅ、ＵＳＢ（Ｕｎｉｖｅｒｓａｌ  Ｓｅｒｉａｌ  Ｂｕｓ）、ＩＥＥＥ  １３９４、Ｗｉ−ＦｉまたはＰＬＣ（Ｐｏｗｅｒ  Ｌｉｎｅ  Ｃｏｍｍｕｎｉｃａｔｉｏｎ）等を用いて、複数のデバイス１０、２０、３０、４０、５０及び６０とＵＰｎＰ（Ｕｎｉｖｅｒｓａｌ  Ｐｌｕｇ  ａｎｄ  Ｐｌａｙ）プロトコールによるネットワークシステムを構築することができる。
【００７４】
図２は、本発明の一実施形態に係るネットワーク装置の構成を説明するためのブロック図である。図２によると、放送受信装置１００は、ディスプレイ部１１０と、通信部１２０と、保存部１３０及び制御部１４０を含む。
【００７５】
ディスプレイ部１１０は、多様な画面をディスプレイする。具体的に、ディスプレイ部１１０は、外部から受信されるか、放送受信装置１００に保存された多様なコンテンツをディスプレイすることができる。
【００７６】
なお、ディスプレイ部１１０は、イベントに対する報知メッセージをディスプレイすることができる。この場合、報知メッセージは、ＧＵＩ（Ｇｒａｐｈｉｃ  Ｕｓｅｒ
Ｉｎｔｅｒｆａｃｅ）の形で提供されてよく、報知メッセージに関連しては今後詳細に説明する。
【００７７】
一方、ディスプレイ部１１０は、液晶表示装置（Ｌｉｑｕｉｄ  Ｃｒｙｓｔａｌ Ｄｉｓｐｌａｙ：ＬＣＤ）、有機電気発光ダイオード（Ｏｒｇａｎｉｃ  Ｌｉｇｈｔ  Ｅｍｉｔｔｉｎｇ  Ｄｉｓｐｌａｙ：ＯＬＥＤ）またはプラズマ表示パネル（Ｐｌａｓｍａ  Ｄｉｓｐｌａｙ  Ｐａｎｅｌ：ＰＤＰ）等で実現されてよい。
【００７８】
通信部１２０は、外部機器と通信を行う。例えば、通信部１２０は、ＵＰｎＰプロトコールに基いてネットワークシステム（図１の１０００）を構成する少なくとも１つの機器と通信を行うことができる。そのために、通信部１２０は、ネットワークに接続することができる多様な通信モジュール（図示せず）を備えることができる。
【００７９】
通信部１２０は、外部機器で発生したイベントを示す信号を受信することができる。すなわち、通信部１２０は、ネットワークシステム１０００を構成する少なくとも１つの機器から当該機器で発生したイベントを示す信号を受信することができ、外部機器はイベントが発生すると、発生したイベントを示す信号を放送受信装置１００に伝送することができる。
【００８０】
保存部１３０は、放送受信装置１００の現在出力状態に対する優先順位情報及び外部イベントに対する優先順位情報を保存する。
【００８１】
ここで、現在出力状態は、放送コンテンツ出力状態、広告出力状態、メニュー設定状態、チャネル切り替え状態及び入力信号切り替え状態のうち、少なくとも１つを含んでよい。具体的に、保存部１２０は、放送コンテンツ出力状態、広告出力状態、メニュー設定状態、チャネル切り替え状態及び入力信号切り替え状態のそれぞれに設定された優先順位に関する情報を保存することができ、一例は以下の表１の通りであってよい。
【００８２】
【表１】
2017504987.tif 000003
表１のように、現在出力状態に対する優先順位は、放送受信装置１００で放送コンテンツがディスプレイされている状態が第１順位、広告がディスプレイされている状態が第２順位、メニュー設定のためのメニュー画面（例えば、放送受信装置１００のセッティング値を設定するためのメニュー画面）がディスプレイされている状態が第３順位、チャネル切り替えが行われている状態及び外部入力信号に切り替えている状態が第４順位であってよい。
【００８３】
一方、イベントは、ネットワークシステム１０００を構成する少なくとも１つの機器で発生したイベントとして、例えば、機器で感知された部外者の侵入、火災発生、機器で発生した故障及び機器で行われた動作の完了等を含んでよい。具体的に、保存部１２０は、部外者の侵入、火災発生、動作完了のそれぞれに設定された優先順位に関する情報を保存することができ、一例は以下の表２の通りであってよい。
【００８４】
【表２】
2017504987.tif 000004
表２のように、イベントに対する優先順位は部外者の侵入が第０順位、火災発生が第１順位、機器で発生した故障が第２順位、機器で行われた動作の完了が第３順位であってよい。
【００８５】
そのために、保存部１３０は、多様な形態の保存媒体（図示せず）を備えることができる。例えば、保存部１３０は、プラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＳＤまたはＸＤメモリ等）、ＲＡＭ、ＲＯＭのうち、少なくとも１つの保存媒体を含んでよい。
【００８６】
制御部１４０は、放送受信装置１００の動作全般を制御する。制御部１４０は、マイクロコンピュータ（または、マイクロコンピュータ及びＣＰＵ（Ｃｅｎｔｒａｌ  Ｐｒｏｃｅｓｓｉｎｇ  Ｕｎｉｔ））、放送受信装置１００の動作のためのＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）を含んでよい。
【００８７】
具体的に、制御部１４０は、外部機器で発生したイベントを示す信号が受信されると、イベントに対する優先順位及び放送受信装置の現在出力状態に対する優先順位に基いてイベントに対する報知メッセージをディスプレイ部１１０上に選択的にディスプレイすることができる。
【００８８】
すなわち、制御部１４０は、外部機器で発生したイベントを示す信号が受信されると、外部機器で如何なるイベントが発生したかを判断する。この場合、ネットワークシステム１０００を構成する少なくとも１つの機器の伝送する信号が如何なるイベントを示すかは、放送受信装置１００と複数の機器１０、２０、３０、４０、５０及び６０の間で予め定義されていてよい。
【００８９】
そして、制御部１４０は、判断されたイベントに対する優先順位を決定する。この場合、制御部１４０は、保存部１３０に予め保存されたイベントに対する優先順位情報を用いることができる。イベントに対する優先順位が表２のような場合を例えると、制御部１４０は外部機器で発生したイベントが部外人侵入である場合、イベントに対する優先順位を第０順位に決定し、外部機器で発生したイベントが動作完了である場合、イベントに対する優先順位を第３順位に決定してよい。
【００９０】
なお、制御部１４０は、現在出力状態に対する優先順位を決定する。この場合、制御部１４０は、保存部１３０に予め保存された現在出力状態に対する優先順位情報を利用することができる。出力状態に対する優先順位が表１のような場合を例えると、制御部１４０は放送コンテンツがディスプレイされている場合、現在出力状態に対する優先順位を第１順位に決定してよい。
【００９１】
その後、制御部１４０は、放送受信装置１００の現在出力状態に対する優先順位とイベントに対する優先順位とに基いて、イベントに対する報知メッセージを選択的にディスプレイすることができる。
【００９２】
具体的に、制御部１４０は、イベントに対する優先順位が放送受信装置１００の現在出力状態に対する優先順位より高い場合、報知メッセージをディスプレイすることができる。この場合、報知メッセージは、イベント発生事実をユーザに通知するためのメッセージとして、イベント別に相互異なるテキストまたはイメージで実現されてよい。
【００９３】
例えば、図３Ａのように、放送受信装置１００で放送コンテンツがディスプレイされている状態で、部外人侵入のイベントが発生した場合、制御部１４０は部外人侵入に対する優先順位が放送コンテンツをディスプレイしている状態に対する優先順位より高いことから、図３Ｂのように部外人侵入を示す報知メッセージである“部外人が侵入しました”をディスプレイすることができる。
【００９４】
この場合、制御部１４０は、１つまたはそれ以上の多様な方式で報知メッセージをディスプレイすることができる。具体的に、制御部１４０は、イベントに対する報知メッセージを現在ディスプレイされる画面上にオーバーラップしてディスプレイしたり、現在ディスプレイされる画面を消去して現在ディスプレイされる画面の代わりにイベントに対する報知メッセージをディスプレイすることができる。
【００９５】
例えば、制御部１４０は、図３Ｂのように現在ディスプレイされる放送コンテンツ上に“部外人が侵入しました”といった報知メッセージをオーバーラップしてディスプレイしたり、図３Ｃのように、現在ディスプレイされる放送コンテンツのディスプレイを中断し、“部外人が侵入しました”という報知メッセージのみをディスプレイすることができる。このような報知メッセージのディスプレイ形態は、ユーザによって設定及び変更されてよい。
【００９６】
一方、報知メッセージは、予め設定された時間の間にディスプレイされてよい。すなわち、制御部１４０は、報知メッセージが現在ディスプレイされる画面とオーバーラップされてディスプレイされる場合、報知メッセージを予め設定された時間の間ディスプレイした後で消去することができ、報知メッセージのみがディスプレイされる場合、報知メッセージを予め設定された時間の間ディスプレイした後でそれを消去して以前にディスプレイされていた画面を再びディスプレイすることができる。
【００９７】
なお、報知メッセージを構成するテキストまたはイメージは製造時に放送受信装置１００に予め保存されているか、ユーザによって設定及び変更されてよい。例えば、制御部１４０は、図４のように報知メッセージを設定するためのメニュー画面４１０を通じてユーザから報知メッセージを構成するテキストのサイズ、カラー、内容等を直接受信し、ユーザによって設定された報知メッセージをイベント別に保存し、今後イベント発生時にユーザによって設定された報知メッセージをディスプレイすることができる。
【００９８】
なお、報知メッセージは、テキストまたはイメージのようなＧＵＩ形態で提供されてよいが、オーディオ形態で提供されてよい。
【００９９】
この場合でも、制御部１４０は、放送受信装置１００で現在出力されるオーディオとともにオーディオ形態の報知メッセージを出力するか、放送受信装置１００で現在出力されるオーディオをミュート（ｍｕｔｅ）してオーディオ形態の報知メッセージのみを出力することができる。
【０１００】
一方、制御部１４０は、イベントに対する優先順位が放送受信装置１００の現在出力状態に対する優先順位より低い場合、報知メッセージをディスプレイせずにイベントに関する情報を保存することができる。
【０１０１】
すなわち、制御部１４０は、イベントに対する優先順位が放送受信装置１００の現在出力状態に対する優先順位より低い場合、別途の報知メッセージをディスプレイすることなく、現在出力状態を継続して維持し、外部機器で発生したイベントに対する優先順位情報を保存することができる。
【０１０２】
例えば、放送受信装置１００で放送コンテンツがディスプレイされている状態で、洗濯機１０の動作完了のイベントが発生した場合、制御部１４０は洗濯機１０の動作完了に対する優先順位が放送コンテンツをディスプレイしている状態に対する優先順位より低い点において、洗濯機１０の動作完了に対する報知メッセージをディスプレイせずに現在ディスプレイされている放送コンテンツを継続してディスプレイし、洗濯機１０の動作完了に対する優先順位として第３順位を保存することができる。
【０１０３】
この場合、制御部１４０は、各機器に対する優先順位をまず順位別に整列して保存することができる。具体的に、制御部１４０は、複数の機器１０、２０、３０，４０、５０及び６０のそれぞれで発生した各イベントに対する優先順位情報を保存する場合、まず順位別にソーティングして保存することができる。
【０１０４】
そして、制御部１４０は、イベントに関する情報を保存した後、放送受信装置１００の現在出力状態が変更されると、イベントに対する優先順位及び放送受信装置１００の変更された出力状態に対する優先順位に基いてイベントに対する報知メッセージを選択的にディスプレイすることができる。
【０１０５】
具体的に、制御部１４０は、放送受信装置１００の現在出力状態が変更されると、変更された出力状態に対する優先順位を決定する。この場合でも、制御部１４０は、保存部１３０に予め保存された現在出力状態に対する優先順位情報を利用することができる。
【０１０６】
出力状態に対する優先順位が表１のような場合を例えると、制御部１４０は放送コンテンツがディスプレイされていた状態で出力状態が変更されて広告がディスプレイされる場合、現在出力状態に対する優先順位を第２順位に決定し、放送コンテンツがディスプレイされていた状態で出力状態が変更されてチャネル切り替え動作が行われている場合、現在出力状態に対する優先順位を第４順位に決定することができる。
【０１０７】
そして、制御部１４０は変更された出力状態に対する優先順位と予め保存されたイベントに対する優先順位とを比較し、イベントに対する報知メッセージを選択的にディスプレイすることができる。
【０１０８】
この場合、制御部１４０は、予め保存されたイベントに対する優先順位が放送受信装置１００の変更された出力状態に対する優先順位より高い場合、報知メッセージをディスプレイすることができる。
【０１０９】
例えば、冷蔵庫２０の故障に対する優先順位が予め保存され、放送コンテンツをディスプレイしていた状態で出力状態が変更されて、図５Ａ及び図５Ｂのようにチャネル切り替え動作が行われている場合を仮定する。この場合、制御部１４０は、予め保存された機器故障に対する優先順位がメニュー設定画面がディスプレイされる状態に対する優先順位より高い点において、図５Ｃのように冷蔵庫２０の故障を示す報知メッセージをディスプレイすることができる。
【０１１０】
そして、制御部１４０は、予め保存されたイベントに対する優先順位情報をリセットすることができる。それは、予め保存された優先順位情報に関連するイベントの発生事実が報知メッセージを通じてユーザに通知されたためである。
【０１１１】
一方、制御部１４０は、予め保存されたイベントに対する優先順位が放送受信装置１００の変更された出力状態に対する優先順位より低い場合、報知メッセージをディスプレイせずに、変更された出力状態を継続して維持することができる。
【０１１２】
例えば、冷蔵庫２０の故障に対する優先順位が予め保存され、放送コンテンツをディスプレイしていた状態で出力状態が変更されて広告がディスプレイされる場合を仮定する。この場合、制御部１４０は、予め保存された機器故障に対する優先順位が、広告のディスプレイされる状態に対する優先順位より低い点において、別途の報知メッセージをディスプレイせずに現在出力されている広告を継続してディスプレイすることができる。
【０１１３】
この場合、制御部１４０は、予め保存されたイベントに対する優先順位が変更された出力状態に対する優先順位より高いか同じになるまで、予め保存されたイベントに対する優先順位情報をリセットしない。すなわち、報知メッセージは、イベントに対する優先順位が放送受信装置１００の現在出力状態に対する優先順位より高いか同じである場合にディスプレイされることから、制御部１４０は外部機器で発生したイベントを報知メッセージ形態でユーザに提供する前まで、すなわち予め保存されたイベントに対する優先順位が変更された出力状態に対する優先順位より高くなるまで、以前発生したイベントに対する優先順位情報を継続して保存する。
【０１１４】
一方、制御部１４０は、イベントに対する優先順位と放送受信装置１００の現在出力状態に対する優先順位とが同じである場合、イベントに対する優先順位が放送受信装置１００の現在出力状態に対する優先順位より高い場合と同様に取り扱ってよい。
【０１１５】
例えば、制御部１４０は、図６Ａのように放送受信装置１００で放送コンテンツがディスプレイされている状態で火災発生のイベントが発生した場合、制御部１４０はこれらの優先順位は第１順位で同一であることから、図６Ｂのように、火災発生を示す報知メッセージである“火災が発生しました”をディスプレイすることができる。
【０１１６】
一方、イベントに対する優先順位及び放送受信装置１００の現在出力状態に対する優先順位は製造時に予め設定されるか、ユーザに設定及び変更されてよい。例えば、制御部１４０は、図７のように優先順位を設定するためのメニュー画面７１０を介してユーザからイベント及び放送受信装置１００の現在出力状態のそれぞれに対する優先順位を直接受信してユーザによって設定された優先順位を保存し、今後イベント発生時にユーザによって設定された優先順位に基いて報知メッセージを選択的にディスプレイすることができる。
【０１１７】
このように、本発明によると、放送受信装置１００は優先順位に応じてネットワークシステム内で発生したイベントを選択的にディスプレイすることができる。それにより、ユーザのコンテンツ視聴妨害を最大限に軽減すると同時にネットワークシステム内で発生したイベントをユーザに効率的に通知することができるようになる。
【０１１８】
一方、上述の例においては、イベントに対する優先順位と放送受信装置１００の現在出力状態に対する優先順位とを比較し、イベントに対する報知メッセージを選択的にディスプレイするものとして説明したが、それは一例に過ぎない。すなわち、制御部１４０は、特定の条件を満たす場合、優先順位間の比較なしにイベントに対する報知メッセージをディスプレイすることができ、図８を参照してより具体的に説明する。
【０１１９】
図８は、本発明の一実施形態によって報知メッセージを選択的にディスプレイする方法を説明するための図である。ただ、図８を説明するうえで、図１ないし図７を参照して説明した部分と重複する部分については具体的な説明を省略する。
【０１２０】
まず、外部機器からイベントを示す信号が受信されると（Ｓ８１０）、制御部１４０はイベントに対する優先順位を決定する（Ｓ８２０）。この場合、制御部１４０は、表２のように定義されるイベントに対する優先順位情報を利用することができる。
【０１２１】
その後、制御部１４０は、イベントに対する優先順位が予め設定された順位に該当するかを判断する。ここで、予め設定された順位は保存部１３０に予め保存された放送受信装置１００の現在出力状態に対する優先順位の中で最も高い順位より高い順位として、表１及び表２のような場合、第０順位であってよい。すなわち、制御部１４０は、イベントに対する優先順位が第０順位に該当するか否かを判断する。
【０１２２】
判断の結果、イベントに対する優先順位が予め設定された順位に該当する場合（Ｓ８３０−Ｙ）、制御部１４０はイベントに対する報知メッセージをディスプレイすることができる（Ｓ８４０）。例えば、制御部１４０は、受信された信号に基いて判断されたイベントが部外人侵入に該当して優先順位が第０順位に決定されると、放送受信装置１００の現在出力状態によらずに、部外人侵入の事実を通知するための報知メッセージをディスプレイすることができる。
【０１２３】
このように、制御部１４０は、イベントに対する優先順位が予め設定された順位に該当する場合、イベントに対する優先順位と放送受信装置１００の現在出力状態に対する優先順位とを比較せずに、イベントに対する報知メッセージをディスプレイすることができる。
【０１２４】
一方、イベントに対する優先順位が予め設定された順位に該当しない場合（Ｓ８３０−Ｎ）、制御部１４０は放送受信装置１００の現在出力状態を判断し（Ｓ８５０）、判断された現在出力状態に対する優先順位を決定する（Ｓ８６０）。この場合、制御部１４０は、表１のように定義される出力状態に対する優先順位情報を用いてよい。
【０１２５】
そして、制御部１４０は、イベントに対する優先順位と放送受信装置１００の現在出力状態に対する優先順位とに基いて、報知メッセージを選択的にディスプレイすることができる。
【０１２６】
具体的に、制御部１４０は、イベントに対する優先順位が放送受信装置１００の現在出力状態に対する優先順位より大きいか同じであるかを判断する（Ｓ８７０）。
【０１２７】
判断の結果、イベントに対する優先順位が放送受信装置１００の現在出力状態に対する優先順位より大きいか同じである場合（Ｓ８７０−Ｙ）、制御部１４０はイベントに対する報知メッセージをディスプレイすることができる（Ｓ８８０）。しかし、イベントに対する優先順位が放送受信装置１００の現在出力状態に対する優先順位より小さい場合（Ｓ８７０−Ｎ）、制御部１４０は別途の報知メッセージをディスプレイすることなく、現在出力状態をそのまま維持し、イベントに対する優先順位情報を保存することができる（Ｓ８９０）。
【０１２８】
一方、上述の実施形態においては、放送受信装置１００がネットワークシステム１０００で中央制御の役割を担う場合を例えて説明するが、別のデバイス（以下、コントロールデバイス）が中央制御のために使用される場合にも、放送受信装置１００は報知メッセージを選択的にディスプレイすることができる。
【０１２９】
この場合、コントロールデバイスはイベントを示す信号をネットワークシステム１０００を構成する１つまたはそれ以上の別のデバイスから伝達され、放送受信装置１００に伝送することができる。それにより、放送受信装置１００は、コントロールデバイスから受信されたイベントを示す信号を用いてイベントに対する優先順位を決定し、イベントに対する優先順位及び放送受信装置１００の現在出力状態に対する優先順位に基いてイベントに対する報知メッセージを選択的にディスプレイすることができる。
【０１３０】
図９は、本発明の一実施形態に係る放送受信装置の細部構成を説明するためのブロック図である。図９によると、放送受信装置１００は、ディスプレイ部１１０と、通信部１２０と、保存部１３０及び制御部１４０の他に、受信部１５０と、インターフェース部１６０と、信号処理部１７０と、ＧＵＩ処理部１８０と、入力部１９１と、リモコン信号受信部１９３及びオーディオ出力部１９５を更に含んでよく、これらの構成要素の動作は制御部１４０によって制御されてよい。一方、図９に示す構成要素のうち、図１に示す構成要素と重複する部分については、詳細な説明を省略する。
【０１３１】
受信部１５０は、多様なコンテンツを受信することができる。具体的に、受信部１５０は地上波放送、ケーブル放送、衛星放送等のように、放送ネットワークを用いる放送局等から放送コンテンツを受信することができる。そのために、受信部１５０は、チューナ（図示せず）、復調器（図示せず）、等化器（図示せず）等のような構成を含む形態で実現されてよい。
【０１３２】
なお、受信部１５０は、インターネットを用いてコンテンツを伝送するウェブサーバ等からコンテンツを受信することもできる。そのために、受信部１５０は、ネットワークインターフェースカード（図示せず）等を備えることができる。
【０１３３】
インターフェース１６０は、各種記録媒体再生装置と接続され、記録媒体に保存されたコンテンツを受信することができる。ここで、記録媒体再生装置とは、ＣＤやＤＶＤ、ハードディスク、ブルーレイディスク、ＵＳＢメモリ、メモリカード等のような多様な類型の記録媒体に保存されたコンテンツを再生する装置を意味する。この場合、インターフェース１６０は、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）、ＵＳＢ（Ｕｎｉｖｅｒｓａｌ  Ｓｅｒｉａｌ  Ｂｕｓ）等のような多様なタイプのポートで実現されてよい。
【０１３４】
信号処理部１７０は、受信部１５０及びインターフェース部１６０を介して提供されるコンテンツに対する信号処理を行う。具体的に、信号処理部１７０は、コンテンツを構成する映像に対してデコード、スケーリング及びフレームレート変換等の動作を行い、ディスプレイ部１１０で出力可能な形態で信号処理を行うことができる。なお、信号処理部１７０は、コンテンツを構成するオーディオに対してデコード等の信号を行ってオーディオ出力部１９３で出力可能な形態で信号処理を行うことができる。
【０１３５】
それにより、ディスプレイ部１１０は、コンテンツを構成する映像をディスプレイし、オーディオ出力部１９３はコンテンツを構成するオーディオを出力することができる。
【０１３６】
ＧＵＩ処理部１８０は、ディスプレイ部１１０上にディスプレイされるＧＵＩを生成する。具体的に、ＧＵＩ処理部１８０はイベントに対する報知メッセージをＧＵＩ形態で生成することができ、ＧＵＩはコンテンツを構成する映像に付加されて映像とともにディスプレイされたり、ＧＵＩそのもののみがディスプレイされてよい。
【０１３７】
入力部１９１は、多様なユーザ命令を受信する。具体的に、入力部１９１は、電源オン／オフ、チャネル切り替え、音量調節、外部信号切り替え、各種メニュー設定等のようなユーザ命令を受信して制御部１４０に伝達してよい。
【０１３８】
この場合、制御部１４０は、ユーザ命令に対応する動作を行うように制御することができる。例えば、制御部１４０は、チャネル切り替え命令が入力されると、受信部１５０を制御してユーザによって選択されたチャネルを選局して放送コンテンツを受信することができ、外部入力信号切り替え命令が入力されると、インターフェース部１６０を制御してユーザによって選択された外部ソースからコンテンツを受信することができる。
【０１３９】
一方、入力部１９１は、入力パネルで実現されてよい。例えば、入力パネルはタッチパッド（Ｔｏｕｃｈ  Ｐａｄ）或いは各種機能キー、数字キー、特殊キー、文字キー等を備えたキーパッド（Ｋｅｙ  Ｐａｄ）またはタッチスクリーン（Ｔｏｕｃｈ  Ｓｃｒｅｅｎ）方式等で行われてよい。
【０１４０】
リモコン信号受信部１９３は、リモコン（図示せず）から入力されるリモコン制御信号を受信する。例えば、リモコン信号受信部１９３は、放送受信装置１００の動作を制御するための多様なユーザ命令、例えば、電源オン／オフ、チャネル切り替え、音量調節、外部信号切り替え、各種メニュー設定等に対応するリモコン制御信号を受信することができる。この場合、制御部１４０は、受信されたリモコン制御信号に対応する動作を行うことができる。
【０１４１】
オーディオ出力部１９５は、オーディオを出力する。具体的に、オーディオ出力部１９５は、コンテンツを構成するオーディオ及びオーディオ形態で構成された報知メッセージを出力することができる。そのために、オーディオ出力部１９５は、スピーカ、オーディオ出力ポート等の形態で実現されてよい。
【０１４２】
一方、制御部１４０は、多様な方式を用いて放送受信装置１００の現在出力状態を判断することができる。例えば、制御部１４０は、ＥＰＧ（Ｅｌｅｃｔｒｏｎｉｃ  Ｐｒｏｇｒａｍ  Ｇｕｉｄｅ）情報を参照したり、放送信号に含まれた識別子等を用いて放送コンテンツがディスプレイされるか、または、広告がディスプレイされるかを判断することができる。そして、制御部１４０は、チャネル切り替えのためのユーザ命令が入力されたか否かに基いてチャネル切り替え動作が行われているか否かを判断し、外部入力信号切り替えのためのユーザ命令が入力されるか否かに基いて外部入力信号動作が行われているか否かを判断することができる。
【０１４３】
図１０は、本発明の一実施形態に係る放送受信装置の報知メッセージディスプレイ方法を説明するためのフローチャートである。
【０１４４】
まず、外部機器で発生したイベントを示す信号を受信する（Ｓ１０１０）。
【０１４５】
その後、外部機器で発生したイベントを示す信号が受信されると、イベントに対する優先順位及び放送受信装置の現在出力状態に対する優先順位に基いてイベントに対する報知メッセージを選択的にディスプレイする（Ｓ１０２０）。
【０１４６】
具体的に、イベントに対する優先順位が放送受信装置の現在出力状態に対する優先順位より高い場合、報知メッセージをディスプレイすることができる。
【０１４７】
しかし、イベントに対する優先順位が放送受信装置の現在出力状態に対する優先順位より低い場合、報知メッセージをディスプレイせずにイベントに関する情報を保存することができる。
【０１４８】
そして、イベントに関する情報を保存した後、前記放送受信装置の出力状態が変更されると、イベントに対する優先順位及び前記放送受信装置の変更された出力状態に対する優先順位に基いてイベントに対する報知メッセージを選択的にディスプレイすることができる。
【０１４９】
一方、放送受信装置の出力状態は、放送コンテンツ出力状態、広告出力状態、メニュー設定状態、チャネル切り替え状態及び入力信号切り替え状態のうち、少なくとも１つを含んでよい。
【０１５０】
一方、ステップＳ１０２０は、報知メッセージを多様な方式でディスプレイすることができる。具体的に、イベントに対する報知メッセージを現在ディスプレイされる画面上にオーバーラップしてディスプレイするか、現在ディスプレイされる画面を消去してイベントに対する報知メッセージのみをディスプレイすることができる。
【０１５１】
一方、イベントに対する優先順位及び前記放送受信装置の現在出力状態に対する優先順位は、ユーザによって設定されてよい。例えば、図７のように、優先順位設定のためのメニュー画面をディスプレイし、当該メニュー画面を通じて優先順位を設定されてよい。
【０１５２】
以上説明したように、本発明によると、優先順位に応じて選択的にイベント発生の事実をユーザに通知することができる点において、ユーザのコンテンツに対する視聴の妨害を最大限に軽減すると同時に、ネットワークシステム内で発生したイベントをユーザに効率よく通知することができるようになる。
【０１５３】
なお、本発明に係る報知メッセージディスプレイ方法を順次に行うプログラムの保存されは非一時的な読み取り可能な媒体（Ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【０１５４】
一例として、外部機器で発生したイベントを示す信号を受信し、外部機器で発生したイベントを示す信号が受信されると、イベントに対する優先順位及び放送受信装置の現在出力状態に対する優先順位に基いてイベントに対する報知メッセージを選択的にディスプレイする方法を行うプログラムが保存された非一時的な読み取り可能な媒体（Ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【０１５５】
非一時的な読み取り可能な媒体とは、レジスタやキャッシュ、メモリ等のような短い間データを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０１５６】
なお、放送受信装置１００について示したブロック図では、バス（ｂｕｓ）を示していないが、各構成要素間の通信はバスを通じて行われてよい。なお、ネットワーク装置及びユーザ端末装置には上述の多様なステップを行うＣＰＵ、マイクロプロセッサ等のようなプロセッサが更に含まれてよい。
【０１５７】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
2017504987.tif 000005
【図２】
2017504987.tif 000006
【図３Ａ】
2017504987.tif 000007
【図３Ｂ】
2017504987.tif 000008
【図３Ｃ】
2017504987.tif 000009
【図４】
2017504987.tif 000010
【図５Ａ】
2017504987.tif 000011
【図５Ｂ】
2017504987.tif 000012
【図５Ｃ】
2017504987.tif 000013
【図６Ａ】
2017504987.tif 000014
【図６Ｂ】
2017504987.tif 000015
【図７】
2017504987.tif 000016
【図８】
2017504987.tif 000017
【図９】
2017504987.tif 000018
【図１０】
2017504987.tif 000019
【国際調査報告】
2017504987.tif 000020
2017504987.tif 000021